(57)【要約】      （修正有）【課題】磁気記録式カード及びＩＣカードに関し、その磁気記録を保護し、またスキミングをも防止できるカードケースを提供する。【解決手段】極薄の磁気防御及び電磁波遮蔽シート１５の表裏両面に合成樹脂製板材１３をそれぞれ接合し、サンドイッチ構造の３層構造とした略矩形形状の本体部カード部材１１と、この本体部カード部材１１の一方の面に略矩形形状の柔軟な合成樹脂製シート体の３辺を溶着してポケット部１２を形成したものから成る。磁気防御及び電磁波遮蔽シート１５が、アルミニウム、銅、鉄等の各種金属箔製の極薄シート体から成る。又は前記磁気防御及び電磁波遮蔽シート１５が、極薄の合成樹脂製フィルムの一方の面に格子状若しくは網目上に又はその全面に金属粉を塗布又はプリントしたものから成る。本体部カード部材１１の全体の厚みを０．５ｍｍ以下とした。【選択図】図２
0003157052.tif 000002
【実用新案登録請求の範囲】
【請求項１】
極薄の磁気防御及び電磁波遮蔽シートの表裏両側の面に合成樹脂製板材をそれぞれ接合し、前記磁気防御及び電磁波遮蔽シートを中間層にしてサンドイッチ構造の３層構造とした略矩形形状の本体部カード部材と、
この本体部カード部材の一方の面に略矩形形状の柔軟な合成樹脂製シート体の３辺を溶着して設けたポケット部とから成り、
このポケット部にキャッシュカードやクレジットカード等の磁気記録部又はＩＣチップを有する各種カードを収納することができることを特徴とする磁気防御及びスキミング防止機能付きカードケース。
【請求項２】
磁気防御及び電磁波遮蔽シートが、アルミニウム、銅、鉄等の各種金属箔製の極薄シート体から成ることを特徴とする請求項１に記載の磁気防御及びスキミング防止機能付きカードケース。
【請求項３】
磁気防御及び電磁波遮蔽シートが、極薄の合成樹脂製フィルムの一方の面に格子状若しくは網目状に又はその全面に金属粉を塗布し又はプリントしたものから成ることを特徴とする請求項１に記載の磁気防御及びスキミング防止機能付きカードケース。
【請求項４】
本体部カード部材の全体の厚みを０．５ｍｍ以下としたことを特徴とする請求項１乃至３の何れか１項に記載の磁気防御及びスキミング防止機能付きカードケース。
【考案の詳細な説明】
【技術分野】
【０００１】
本考案は、各種キャッシュカードやクレジットカード等の磁気記録部の保護や、ＩＣカードに搭載されたＩＣチップに記録された情報の不正読み取りを防止するための磁気防御及びスキミング防止機能付きのカードケースに関するものである。
【背景技術】
【０００２】
現在、キャッシュカードやクレジットカード等としては、従来の磁気記録式のものと、大量の情報が記録できるＩＣチップが搭載されたＩＣカードの両方のタイプのものが存在している。
磁気記録式のものにおいては、例えばカバンの一部の留め具等にマグネットが使用されている部分があると、その磁力により磁気記録が読み取れなくなる場合が生じる。
【０００３】
他方、前記ＩＣカードとしては、非接触タイプのものが多く、読取装置に近づけるだけで使用者の特定情報を電磁波を利用して読み取ることができる非常に便利なものであるが、逆に、これらＩＣカードに記録された情報を不正に読み取られるスキミング被害が発生している。
上記問題を解消するために、各種の磁気防御部材や電磁波シールド部材が提供されている。
【０００４】
下記特許文献に記載のものは、本願出願人が先に提案したものである。
特許文献１に記載の電磁波シールドシートは、銅材により形成して磁界を吸収する電磁波吸収層としての銅層と、アルミ材により形成して磁界を遮断する電磁波遮断層としてのアルミ層とを備え、前記アルミ層を銅層より人体側に配置して、磁界を遮断して人体を磁界から保護するものである。
【０００５】
下記特許文献２に記載の電磁波遮断シートは、電磁波を遮断するアルミニウムによりシート状の全電磁波遮断シートを形成し、全ての電磁波を遮断する全電磁波遮断型の全電磁波遮断シートを製造する場合は、前記全電磁波遮断シートをそのまま完成品の全電磁波遮断シートとし、８００ＭＨｚ帯の周波数の電磁波を通過許容して１３．５６ＭＨｚ帯の周波数の電磁波を遮断する遮断電磁波選択型の一部電磁波遮断シートを製造する場合は、前記全電磁波遮断シートに複数の孔を穿設して一部電磁波遮断シートとしたものである。
【先行技術文献】
【特許文献】
【０００６】
【特許文献１】特開２００８−９３０９３号公報
【特許文献２】特開２００７−２８７７５２号公報
【考案の概要】
【考案が解決しようとする課題】
【０００７】
本考案においては、磁気記録式カード及びＩＣチップ搭載のＩＣカードの何れのものについても、その磁気記録を保護し、またスキミングをも防止できるカードケースを提供することをその課題としている。
また、このカードケースの厚みも極めて薄くすることも本考案の課題である。
【課題を解決するための手段】
【０００８】
上記課題を解決するために、本考案の第１のものは、極薄の磁気防御及び電磁波遮蔽シートの表裏両側の面に合成樹脂製板材をそれぞれ接合し、前記磁気防御及び電磁波遮蔽シートを中間層にしてサンドイッチ構造の３層構造とした略矩形形状の本体部カード部材と、この本体部カード部材の一方の面に略矩形形状の柔軟な合成樹脂製シート体の３辺を溶着して設けたポケット部とから成り、このポケット部にキャッシュカードやクレジットカード等の磁気記録部又はＩＣチップを有する各種カードを収納することができることを特徴とする磁気防御及びスキミング防止機能付きカードケースである。
【０００９】
本考案の第２のものは、上記第１の考案において、磁気防御及び電磁波遮蔽シートが、アルミニウム、銅、鉄等の各種金属箔製の極薄シート体から成ることを特徴とする磁気防御及びスキミング防止機能付きカードケースである。
【００１０】
本考案の第３のものは、上記第１の考案において、磁気防御及び電磁波遮蔽シートが、極薄の合成樹脂製フィルムの一方の面に格子状若しくは網目状に又はその全面に金属粉を塗布し又はプリントしたものから成ることを特徴とする磁気防御及びスキミング防止機能付きカードケースである。
【００１１】
本考案の第４のものは、上記何れかの考案において、本体部カード部材の全体の厚みを０．５ｍｍ以下としたことを特徴とする磁気防御及びスキミング防止機能付きカードケースである。
【考案の効果】
【００１２】
本考案の第１のものにおいては、本体部カード部材が磁気防御及び電磁波遮蔽シートの表裏両方の面に合成樹脂製板材を接合したものからなり、その本体部カード部材の一方の面に設けられたポケット部に、各種カードの磁気記録面又はＩＣチップが設けられている面を本体部カード部材の側に向けて収納することにより、磁気記録部が磁気から保護され、或いはＩＣチップの記憶部がスキミング被害から防御されるのである。
また、本体部カード部材は、合成樹脂製板材の積層体から形成されているために、その取扱いが極めて便利であり、使用に際しては、保護されるカードを収納したまま、財布やカード入れ、定期入れ等の各種小物入れ等に簡単に収納することができる。
【００１３】
本考案の第２のものにおいては、磁気防御及び電磁波遮蔽シートの素材を限定したものであり、各種金属の金属箔を利用して、より簡易に製造でき且つ利便性の高いものとすることができる。
【００１４】
本考案の第３のものにおいても、磁気防御及び電磁波遮蔽シートを限定したものであって、合成樹脂製フィルムの一面に各種金属粉を塗布又はプリントしたものであり、このような磁気防御及び電磁波遮蔽シートにより外部からの磁力を防御し、同様にスキミング被
害の防止を図ることができる。
【００１５】
本考案の第４のものにおいては、その本体部カード部材の全体の厚みを０．５ｍｍ以下の一定の薄さのものに限定したことにより、使用に際してより軽便で、財布や定期入れ或いはカード入れ等に挿入して使用するに際して、嵩張ることがなく、極めて利用価値の高い便利なものとなる。
【図面の簡単な説明】
【００１６】
【図１】本考案の磁気防御及びスキミング防止機能付きカードケースに係る一実施形態の使用状態を示す斜視説明図である。
【図２】図１のII−II線断面図である。
【考案を実施するための形態】
【００１７】
以下、添付の図面と共に本考案の実施形態について説明する。
図１は、本考案の一実施形態の使用状態を示す斜視説明図であり、図２は、図１のII−II線断面図である。
尚、断面部を示すハッチングは省略している。これら両図に基づき以下説明する。
本考案に係る磁気防御及びスキミング防止機能付きカードケース１０は、本体部カード部材１１と、その一方の面に設けられたポケット部１２とから成る。
【００１８】
本体部カード部材１１は、３層構造を有する。
即ち、図２の断面図から解るとおり、中間層となる磁気防御及び電磁波遮蔽シート１５と、その表側及び裏側の両面のそれぞれに合成樹脂製板材１３、１３を重ね合わせて、接着剤により圧着接合させて形成したものであり、前記磁気防御及び電磁波遮蔽シート１５を中間に挟んだサンドイッチ状に積層した３層構造から成るものである。
【００１９】
その縦横のサイズは、各種キャッシュカードやクレジットカード等の縦横の大きさよりも少し大きいものとする。
この実施形態では、その縦横のサイズは略６１ｍｍ×略９４ｍｍとしている。
他方、本体部カード部材１１の一方の面に設けられたポケット部１２は、柔軟な合成樹脂製の略矩形形状のシート状体１２ｓを使用し、その３つの側縁部（３辺）を溶着して、上方に開口部１２ｋを設けたものであり、この内部にキャッシュカードやクレジットカード等が丁度収納できる大きさとしている。
【００２０】
磁気防御及び電磁波遮蔽シート１５としては、各種のものを使用することができる。
例えば、アルミニウム、銅、鉛、ステンレス、鉄等の金属箔、或いは真鍮等の合金等を極薄のシート状（金属箔）にしたものを使用することができる。
その厚みも１００μｍ程度以下の極薄のものを使用する。
【００２１】
更に、磁気防御及び電磁波遮蔽シート１５としては、やはり約１００μｍ程度の極薄の合成樹脂製フィルムにアルミニウムやその他の金属を蒸着等したものを使用することもできる。
また、同様に極薄の合成樹脂製フィルム、例えばポリエチレン・フィルムに各種金属、即ち、透磁性又は導電性を有する各種金属粉を格子状に或いは網目状に、更にはその全面に塗布したり、プリントしたりして形成することもできる。
勿論、この金属粉と共に炭素や珪素を含有させることもできる。
尚、アルミニウムの場合には、この金属は透磁性を有さないために、磁気遮蔽の効果は期待できないので、他の金属を共に用いる必要があるが、電磁波の遮蔽には有効である。
【００２２】
上記のように金属粉を格子状等に又は全面に塗布する場合には、当然塗布前に格子状等に或いは全面に接着剤を予め塗布し、その後金属粉等を塗布するのである。
また、プリントする際は、その印刷用インク内に金属粉や炭素等の所望の原材料を混入させた上で格子状又は網目状に若しくは全面にプリントを行うのである。
勿論、樹脂フィルムの全面に金属粉等を塗布し、プリントすることもできる。
【００２３】
更に、この磁気防御及び電磁波遮蔽シート１５の表と裏の両面には、上記した通り、合成樹脂製板材１３を積層し、接着剤により圧着接合する。
この合成樹脂製板材１３の厚みは、０．１５ｍｍから０．２ｍｍ程度の薄いものを使用する。
勿論この合成樹脂製板材１３は、その種類として自由に選択して使用することができるが、適宜しなやかな可撓性を有する硬質のものを採用する。
【００２４】
これにより、本考案に係る磁気防御及びスキミング防止機能付きカードケース１０の本体部カード部材１１の全体の厚みを約０．５ｍｍ以下とすることができる。
このような薄いものとして、通常のキャッシュカードやクレジットカードとほぼ同様のサイズで、しかも可撓性を有する硬質の板状体のものとして製品化され、嵩張らずに、例えば財布、札入れ、定期入れ、カード入れ等に挿入して使用する際に便利なものとなる。
【００２５】
以上のように、本考案に係る磁気防御及びスキミング防止機能付きカードケースは、例えばＩＣカード２０のＩＣチップ２２が設けられた面を、本体部カード部材１１の面に向けて、ポケット部１２の内部に収納することによって、外部からの磁気及びスキミングの防止を図ることができるのである。
勿論、本考案に係るカードケースは、本体部カード部材が樹脂であるために、その表面に絵や写真等の各種のプリントを施したり、各種の情報を印刷して広告媒体として利用することもできる。
【００２６】
以上、本考案は、磁気防御及び電磁波遮蔽シートと合成樹脂製板材との３層積層サンドイッチ構造を採用し、薄い板状の可撓性を有するカードケースとして、しかも磁気防御及びスキミング防止機能を有するものとして、利用価値の高いカードケースを提供することができたものである。
【符号の説明】
【００２７】
１０  磁気防御及びスキミング防止機能付きカードケース
１１  本体部カード部材
１２  ポケット部
１３  合成樹脂製板材
１５  磁気防御及び電磁波遮蔽シート
【図１】
0003157052.tif 000003
【図２】
0003157052.tif 000004
【手続補正書】
【提出日】平成21年11月12日(2009.11.12)
【手続補正１】
【補正対象書類名】図面
【補正対象項目名】図２
【補正方法】変更
【補正の内容】
【図２】
0003157052.tif 000005